(57)【要約】【課題】  従来の電気プラグに取り付けることで任意のプラグ設置方向を調整できる設置方向調整機構を備えたアダプタを提供する。【解決手段】  一対の栓刃を備え前記既存のコンセントに差し込むプラグ部と、前記既存のプラグが備える一対の栓刃を差し込むプラグ差込部と、前記プラグ部および前記プラグ差込部を接続し前記プラグ部を差し込む方向に対して並行する回転軸を中心に前記プラグ差込部を回動させる並行回転部と、前記プラグ部および前記プラグ差込部を接続し前記プラグ部を差し込む方向に対して垂直する回転軸を中心に前記プラグ差込部を回動させる垂直回転部と、前記並行回転部に備える所定の角度で回動を止めるストッパーと、前記プラグ部の一対の栓刃と前記プラグ差込部に形成された一対の電極を電気的に接続する電気線と、を有する。【選択図】    図１
2017050138.tif 000002
【特許請求の範囲】
【請求項１】
既存のプラグ及び既存のコンセントの間に差し込む補助アダプタであって、
一対の栓刃を備え前記既存のコンセントに差し込むプラグ部と、前記既存のプラグが備える一対の栓刃を差し込むプラグ差込部と、前記プラグ部および前記プラグ差込部を接続し前記プラグ部を差し込む方向に対して並行な回転軸を中心に前記プラグ差込部を回動させる並行回転部と、前記プラグ部および前記プラグ差込部を接続し前記プラグ部を差し込む方向に対して垂直な回転軸を中心に前記プラグ差込部を回動させる垂直回転部と、前記並行回転部に備える所定の角度で回動を止めるストッパーと、前記プラグ部の一対の栓刃と前記プラグ差込部に形成された一対の電極を電気的に接続する電気線と、を有することを特徴とするプラグ差し込み補助アダプタ。
【発明の詳細な説明】
【技術分野】
【０００１】
本発明は、壁等に設置された電源コンセントと、電気機器の電源ケーブルの先端に形成された電源プラグの間に挿入するプラグ差し込み補助アダプタに関する。
【背景技術】
【０００２】
従来のプラグにおける、コンセントに差し込んだままプラグの設置方向を調整できない問題を改善する技術として、プラグをコンセントに差し込んだまま、コンセントの差し込み面に垂直な線及び水平な線の周りに回動できるものがある。（たとえば、特許文献１）。
【０００３】
上述した特許文献１に記載の設置方向調整機構では、設置方向調整機構はプラグに一体化されており、設置方向調整機構が設けられていない従来のプラグでは操作者が設置方向を調整できない。そのため従来のプラグは、コンセントの周辺にプラグの後方へ伸びるケーブルを垂らす為のスペースを十分に確保しなければ設置することは難しい。例えば、コンセントが家具の裏側に位置するような場所は、設置方向の調整機構が設けられていない従来のプラグは設置できない問題があった。
【先行技術文献】
【特許文献】
【０００４】
【特許文献１】特開２００７−１２４７６号公報
【発明の概要】
【発明が解決しようとする課題】
【０００５】
上記の問題点を解決するために、本発明の課題は、設置方向調整機構が設けられていない従来のプラグに、設置方向調整機構を付与できる補助アダプタを提供することにある。
【課題を解決するための手段】
【０００６】
上記の課題を解決するために、本発明は、既存のプラグ及び既存のコンセントの間に差し込む補助アダプタであって、一対の栓刃を備え前記既存のコンセントに差し込むプラグ部と、前記既存のプラグが備える一対の栓刃を差し込むプラグ差込部と、前記プラグ部および前記プラグ差込部を接続し前記プラグ部を差し込む方向に対して並行な回転軸を中心に前記プラグ差込部を回動させる並行回転部と、前記プラグ部および前記プラグ差込部を接続し前記プラグ部を差し込む方向に対して垂直な回転軸を中心に前記プラグ差込部を回動させる垂直回転部と、前記並行回転部に備える所定の角度で回動を止めるストッパーと、前記プラグ部の一対の栓刃と前記プラグ差込部に形成された一対の電極を電気的に接続する電気線と、を有することを特徴とする。
【発明の効果】
【０００７】
本発明によれば、設置方向調整機構が設けられていない従来のプラグに取り付け、任意の角度にプラグの設置方向を調整できる設置方向調整機構を備えたアダプタを提供し、操作者はコンセントの周辺のスペースが狭い場合でも従来のプラグを設置することができる。
【図面の簡単な説明】
【０００８】
【図１】本発明の補助アダプタの使用方法を説明する斜視図
【図２】本発明の補助アダプタの斜視図
【図３】プラグ部の構成を示す斜視図
【図４】回転部の構成を示す斜視図
【図５】プラグ差込部の構成を示す斜視図
【図６】回転部とプラグ部の回転構造を説明する平面図
【図７】プラグ差込部と回転部の回転構造を説明する平面図
【図８】本発明の補助アダプタの電気配線を示す斜視図
【発明を実施するための形態】
【０００９】
以下、本発明の実施形態について図面を用いて説明する。
【００１０】
図１（ａ）（ｂ）は本発明の補助アダプタ１１の使用方法を説明する斜視図である。図１（ａ）より、プラグ６１は従来の電気プラグであり、本発明の補助アダプタ１１に配置されたプラグ差込部１４に設けられた一対のプラグ差込孔４２にＡ方向へ差し込むことで係合する。
【００１１】
補助アダプタ１１は前述した図１（ａ）の方法でプラグ６１を差し込んだ後、図（ｂ）のように補助アダプタ１１のプラグ部１２に突設された一対のプラグ部栓刃２１を一対のコンセント孔７１にＢ方向へ差し込むことでプラグ部１２はコンセント孔７１に係合し、電気経路の接続が成される。設置方向調整機構については後述する。
【００１２】
図２は、本発明である補助アダプタ１１の斜視図である。図示するように本実施例における補助アダプタ１１は、コンセント孔７１に差し込むプラグ部１２と、プラグ６１を差し込むプラグ差込部１４と、プラグ部１２およびプラグ差込部１４を接続し回動自在に係合される回転部１３から構成される。一対のプラグ部栓刃２１とプラグ差込部１４に形成された一対の電極を電気的に接続する接続手段については後述する。
【００１３】
図３は、プラグ部１２の構成を示す斜視図である。プラグ部１２は、コンセント孔７１に差し込む一対のプラグ部栓刃２１と、第一の回転軸２３と、第一の回転軸２３の周囲に設けられた回転ストッパー溝２２が設けられている。
【００１４】
図４は、回転部１３の構成を示す斜視図である。回転部１３は、第一の回転軸２３の軸受となる第一の回転軸受３１と、回転ストッパー溝２２に沿って滑動する回転ストッパー凸３２と、プラグ差し込み部１４の回動の軸となる一対の第二の回転軸３３が設けられている。
【００１５】
図５は、プラグ差込部１４の構成を示す斜視図である。プラグ差込部１４は、一対の第二の回転軸３３の軸受となる一対の第二の回転軸受４１と、プラグ６１を差し込む一対のプラグ差込孔４３が設けられている。
【００１６】
図６は、回転部１３とプラグ１２の回転構造を説明する平面図である。  回転部１３の回転構造は、第一の回転軸２３及び第一の回転軸受３１はプラグ部１２を差し込む方向に対して並行する回転軸を中心に回動するように係合することでＣ方向及びＤ方向への回動を可能とし、また回転ストッパー溝２２は回転ストッパー凸３２の滑動をガイドし、且つ滑動する範囲を所定の角度に制限し一方向への複数回の回動を防止することで、後述する電気線５１が絡み捩じ切れることを防止する。
【００１７】
図７は、プラグ差込部１４と回転部１３の回転構造を説明する平面図である。プラグ差込部１４の回転構造は、第二の回転軸３３と第二の回転軸受４１がプラグ部１２を差し込む方向に対して垂直する回転軸を中心にプラグ差込部１４が回動するように係合することでＥ方向及びＦ方向への回動を可能とする。
【００１８】
図８は、本発明の補助アダプタ１１の電気配線を示す斜視図である。電気線５１は、一対のプラグ部栓刃２１から始まり、プラグ部１２の内部を通り第一の回転軸２３を介して回転部１３へと接続され、回転部１３の内部を通り第二の回転軸３３を介してプラグ差込部１４へと接続され、プラグ差込部１４の内部を通り一対のプラグ差込孔４２へ接続される。これにより、電気線５１によって一対のプラグ部栓刃２１から一対のプラグ差込孔４２へと電気回路が形成されることで導電が成される。
【００１９】
以上、本発明の実施形態について説明した。本発明の実施形態によれば、回転部１３及びプラグ差込部１４は、回動自在に係合し回動を可能とする。これにより、本発明である補助アダプタ１１はプラグ６１の設置方向を任意の角度へ設定することを可能にする。これにより、操作者は従来のプラグに本発明の補助アダプタ１１を取り付けることで設置方向を調整することができる。
【符号の説明】
【００２０】
１１  補助アダプタ
１２  プラグ部
１３  回転部
１４  部プラグ差込部
２１  プラグ部栓刃
２２  回転ストッパー溝
２３  第一の回転軸
３１  第一の回転軸受
３２  回転ストッパー凸
３３  第二の回転軸
４１  第二の回転軸受
４２  プラグ差込孔
５１  電気線
６１  プラグ
７１  コンセント孔
【図１】
2017050138.tif 000003
【図２】
2017050138.tif 000004
【図３】
2017050138.tif 000005
【図４】
2017050138.tif 000006
【図５】
2017050138.tif 000007
【図６】
2017050138.tif 000008
【図７】
2017050138.tif 000009
【図８】
2017050138.tif 000010